(57)【要約】    【課題】  より簡易な構成で、より便利なキャプチャ印刷を実行することにより、ユーザに対する利便性を向上させることができ、利便性の高いサービスを提供する。    【解決手段】  この発明による信号処理装置が、印刷が許可された画像が表示されることを示すデータを、動画の表示中に出力する出力回路を有する。【選択図】        図７
2006025398.tif 000002
【特許請求の範囲】
【請求項１】
印刷が許可された画像が表示されることを示すデータを、動画の表示中に出力する出力回路を有する
ことを特徴とする信号処理装置。
【請求項２】
さらに、前記データを記憶する記憶部を有する
ことを特徴とする請求項１記載の信号処理装置。
【請求項３】
前記出力回路は、前記動画の表示経過時間を示す表示経過時間情報に応じて、前記記憶部から読み出された前記データを出力する
ことを特徴とする請求項２記載の信号処理装置。
【請求項４】
画像を表示する表示デバイスと、
前記表示デバイスに印刷が許可された画像が表示されることを示すためのデータを、動画の表示中に出力する出力回路とを有する
ことを特徴とする画像表示装置。
【請求項５】
前記表示デバイスは、前記印刷が許可された画像が前記表示デバイスに表示されることを提示するように構成されている
ことを特徴とする請求項４記載の画像表示装置。
【請求項６】
前記印刷が許可された画像が前記表示デバイスに表示されることを提示する提示手段を有する
ことを特徴とする請求項４記載の画像表示装置。
【請求項７】
印刷が許可された画像が表示されることを示すためのデータを、動画の表示中に出力する出力ステップと、
前記出力されたデータに基づいて前記印刷が許可された画像が表示されることを提示する提示ステップとを有する
ことを特徴とする画像表示方法。
【請求項８】
印刷が許可された画像が表示されることを示すためのデータを、動画の表示中に出力する出力ステップと、前記出力されたデータに基づいて前記印刷が許可された画像が表示されることを提示する提示ステップとをコンピュータに実行させるプログラムコードを有するコンピュータ実行可能なプログラム。
【発明の詳細な説明】
【技術分野】
【０００１】
この発明は、信号処理装置、画像表示装置および画像表示方法に関し、特に、放送局から送信される放送などの映像データを受信して表示する表示装置において、映像をキャプチャして印刷するキャプチャ印刷に適用して好適なものである。
【背景技術】
【０００２】
昨今、ＢＳ放送や地上デジタル放送の開始により、高画質の映像を容易に視聴したり、録画したりすることができるようになってきた。また、番組とともに各種のデータを放送し、受信装置側（以下、ＴＶ装置）で処理をすることが容易になってきた。
【０００３】
この動画映像は、動画として楽しむのみならず、動画を構成する静止画像としてのフレームを静止画キャプチャすることによって、紙などのシート部材に印刷して楽しむことも考えられている。このような動画をキャプチャしてシート部材に印刷することは、現在のデジタル放送において容易に実現可能である。
【０００４】
また、現在、デジタル放送においては、著作権などの権利保護が強く要請されている。そして、そのためには、上述したキャプチャ印刷を制御する必要がある。
【０００５】
このキャプチャ印刷の制御の方法のひとつとして、特許文献１に記載された方法が提案されている。特許文献１に記載された方法においては、映像データのヘッダ部にキャプチャ印刷を制御する記述子を付加し、この印刷制御記述子によって、印刷の許可、不許可と印刷回数とを制御するものである。また、特許文献１には、印刷許可されたシーンを静止画として自動的に記憶し、この記憶した静止画を一覧表示させて、それらの静止画の中からユーザが選択して印刷を行うことも開示されている。
【特許文献１】特開２００１−８６４５２号公報
【特許文献２】特開平１０−１６４５２１号公報
【特許文献３】特開２００１−３２０６３７号公報
【発明の開示】
【発明が解決しようとする課題】
【０００６】
ところが、特許文献１に記載された方法においては、印刷許可されたシーンを自動的に記憶するため、印刷許可されたシーンが多くなるほどハードウェアの規模が大きくなる場合がある。また、印刷制御情報を事前にユーザに提示できず不便であるといった問題点もあった。
【０００７】
したがって、この発明の目的は、より簡易な構成で、より便利なキャプチャ印刷を実行することにより、ユーザに対する利便性を向上させることができ、利便性の高いサービスを提供することができる信号処理装置、画像表示装置および画像表示方法を提供することにある。
【課題を解決するための手段】
【０００８】
上記目的を達成するために、この発明の第１の発明は、
印刷が許可された画像が表示されることを示すためのデータを、動画の表示中に出力する出力回路を有する
ことを特徴とする信号処理装置である。
【０００９】
この発明の第２の発明は、
表示デバイスと、
印刷が許可された画像が前記表示デバイスに表示されることを示すためのデータを、動画の表示中に出力する出力回路とを有する
ことを特徴とする受信装置である。
【００１０】
この発明の第３の発明は、
印刷が許可された画像が表示されることを示すためのデータを、動画の表示中に出力する出力ステップと、
前記出力されたデータに基づいて前記印刷が許可された画像が表示されることを提示する提示ステップとを有する
ことを特徴とする画像表示方法である。
【００１１】
この発明の第４の発明は、
印刷が許可された画像が表示されることを示すためのデータを、動画の表示中に出力する出力ステップと、前記出力されたデータに基づいて前記印刷が許可された画像が表示されることを提示する提示ステップとをコンピュータに実行させるためのプログラムコードを有するコンピュータ実行可能なプログラムまたは、このプログラムが格納されたコンピュータ読み取り可能な記録媒体である。
【発明の効果】
【００１２】
以上説明したように、この発明によれば、より便利で確実なキャプチャ印刷を実行することができて、ユーザに対する利便性を向上させることができるので、利便性の高いサービスを提供することができる。
【発明を実施するための最良の形態】
【００１３】
以下、この発明の実施形態について図面を参照しながら説明する。なお、以下の実施形態の全図においては、同一または対応する部分には同一の符号を付す。
【００１４】
（第１の実施形態）
まず、この発明の第１の実施形態による送受信システムについて説明する。図１に、この発明の第１の実施形態による送受信システムの全体構成を示す。
【００１５】
図１に示すように、この第１の実施形態による送受信システムは、ＴＶ装置１１、リモコン装置１２、プリンタ装置１３および放送装置２１を有して構成され、ネットワーク網ｓ２１を介して放送装置２１とその他の装置とが接続されている。
【００１６】
ＴＶ装置１１は、放送局よりのテレビ受信、映像、音声、および操作データなどの表示、音声出力、リモコン装置１２による操作に基づいた画面のキャプチャ表示、および後述するプリンタ装置１３における印刷の制御を実行可能に構成されている。
【００１７】
リモコン装置１２は、ＴＶ視聴者が、ＴＶ装置１１、プリンタ装置１３などを制御したり、操作したりするのに用いられる。また、プリンタ装置１３は、ネットワーク網ｓ２１によりＴＶ装置１１に接続されている。このプリンタ装置１３は、リモコン装置１２による操作者の指示に基づいて、ＴＶ装置１１における処理に基づいた判断によって、データ放送の印刷データなどの印刷を行うためのものである。
【００１８】
ネットワークｓ１１は、プリンタ装置１３などと接続され、データの送受信や制御を行うためのものである。また、放送装置２１は、作成された番組、ＣＭ、データ放送データおよび番組メタデータなどを、電波やインターネットを通じて、ＴＶ視聴者に向けて放送するためのものである。また、ネットワーク網ｓ２１は、例えばインターネットなどのよ
うに、放送装置とＴＶ装置との間において、データの送受信を行う手段のひとつとして使用される。
【００１９】
図２に、この第１の実施形態による放送装置２１の詳細を示す。図２に示すように、この第１の実施形態による放送装置２１は、記録再生部２１０１、印刷情報保存部２１０２、付加情報保存部２１０３、補助番組部２１０４、合成部２１１０、放送送信部２１１１、インターネットサーバ部２１１２、出力制御部２１２１および編集部２１２２を有して構成されている。
【００２０】
記録再生部２１０１には、この第１の実施形態において使用される録画された放送番組の映像・音声データが記録されている。この映像・音声データは、編集部２１２２により編集される。そして、指定された時刻になると、出力制御部２１２１によって、後述する印刷情報や付加情報とともに合成部２１１０に出力される。なお、この番組は、図３および図６に示す構成となっている。
【００２１】
また、図２に示す印刷情報保存部２１０２は、上述した番組中でキャプチャ印刷が許可される時間情報を保存するものである。この印刷情報は、番組を編集する際、編集部２１２２より出力されるデータである。
【００２２】
付加情報保存部２１０３には、番組名、放送時間、出演者、番組ジャンルなどの番組に関する各種情報、データ放送データおよび番組内を、複数のシーンに分割したシーン情報などが保存されている。補助番組部２１０４は、ＣＭ放送などの番組と連動して使用される番組を保存するためのものであり、これらの番組が保存されている。
【００２３】
合成部２１１０は、記録再生部２１０１によって再生された番組データに、印刷情報を埋め込んで分割することによりパケット化する。そして、このパケット化された印刷情報は、付加情報保存部２１０３からの番組情報データとともにパケット化されて、後述する放送送信部２１１１にＴＳデータとして出力される。このパケット化されたＴＳデータは、図３に示すように構成されている。
【００２４】
放送送信部２１１１は、パケット化されたデータを放送電波として出力可能に変調や増幅を実行し、アンテナから出力させる。インターネットサーバ部２１１２は、上述した印刷情報や付加情報のうちの、必要なものをネットワーク網ｓ２１に出力できるように変換して保存し、ＴＶなど、外部からの要求に応じて出力するためのものである。
【００２５】
出力制御部２１２１は、記録再生部２１０１に記録された番組、印刷情報保存部２１０２の印刷情報、付加情報保存部２１０３の付加情報、および補助番組部２１０４の出力を適宜制御して、合成部２１１０において合成して放送の送信を制御する。
【００２６】
次に、ＴＶ装置１１について説明する。図４に、上述したＴＶ装置１１の詳細を示す。図４に示すように、この第１の実施形態において、ＴＶ装置１１は、チューナ部１１０１、データ分離部１１０２、ＡＶデコード部１１０３、音声制御部１１２１、音声出力部１１２２、グラフィック制御部１１３１、表示合成制御部１１３３、表示部１１３４、キャプチャ制御部１１３５、キャプチャバッファメモリ１１３６、メモリ部１１５１、インタフェース部１１６１、インターネット接続部１１７１、リモコン制御部１１８１、データ保存部１１８２およびシステム制御部１１９１を有して構成されている。
【００２７】
チューナ部１１０１は、受信したＴＶ放送の高周波ＴＶ信号を増幅、希望局の選局を行い、番組の映像・音声データ、データ放送データ、その他各種データが合成されたＴＳデータを復調する。
【００２８】
データ分離部１１０２は、上述したＴＳデータを、番組の映像／音声データ、番組情報データ、番組制御文書データ、印刷用データおよびその他データ放送用データなどに分離する。そして、これらの分離されたデータのうちの、映像／音声番組データは、後述するＡＶデコード部１１０３に供給される。また、番組情報データ、番組制御文書データ、印刷データおよび、その他のデータは、内部バス２２を通じてメモリ部１１５１に格納するために供給される。
【００２９】
放送映像／音声データのＡＶデコード部１１０３は、分離された、映像／音声番組データ、ＣＭ放送データをデコードして、番組開始時刻からの経過時間とともに、音声制御部１１２１、表示合成制御部１１３３に出力するためのものである。
【００３０】
また、音声制御部１１２１は、上述したＡＶデコード部１１０３、内部バス２２からの供給された音声データを、切り替えたり合成したり、音量、音質、臨場感などを制御したりして、後述する音声出力部１２１２に供給するためのものである。
【００３１】
音声出力部１１２２は、上述した音声制御部１１２１から供給された音声信号を増幅して、スピーカから音声として出力するためのものである。
【００３２】
グラフィック制御部１１３１は、データ放送画面、この第１の実施形態によるＴＶシステムにおけるアプリケーション画面、メッセージなどのＧＵＩ画面などを、システム制御部１１９１の制御に基づいて生成し、表示合成制御部１１３３に供給するためのものである。
【００３３】
表示合成制御部１１３３は、ＡＶデコード部１１０３から供給された番組またはＣＭ放送の画像データと、グラフィック制御部１１３１において生成された画像データを、システム制御部１１９１による制御に基づいて、切替、合成、拡大／縮小、その他各種変換、または補正などを実行して、後述する表示部１１３４に供給するためのものである。
【００３４】
この表示合成制御部１１３３は、データ放送プレーンおよびアプリケーションプレーンという、独立に描画可能で制御可能な２つのプレーンからなる。これらのプレーンのうちのデータ放送プレーンは、さらに、動画プレーン、静止画プレーンおよび文字図形プレーンなどの複数のプレーンからなり、これらの複数のプレーンにおいても独立に制御可能である。なお、この発明による出力回路は、表示合成制御部１１３３からなる。
【００３５】
表示部１１３４は、上述した画像制御部１２２１から供給された画像データを表示するための表示デバイスである。
【００３６】
また、キャプチャ制御部１１３５は、通常時において、上述した表示合成制御部１１３３から表示部１２２２に供給されるデータと同じデータが入力される。そして、このキャプチャ制御部１１３５内におけるフレームメモリに対して、フレーム単位で上書きするように書き込みが行われる。
【００３７】
また、後述するシステム制御部１１９１から指示信号が供給され、１フレーム書き込みが終了すると、書き込みが中断、保持される。このメモリのデータは、システム制御部１１９１からの指示信号に基づいて、フレームの領域が指定され、内部バス２２を通じて読み出し可能に構成されている。
【００３８】
キャプチャバッファメモリ１１３６は、番組の映像／音声データを例えば１０秒間分、保持可能に構成されている。また、上述したキャプチャ制御部１１３５におけると同様に
、通常、映像／音声データを逐次書き込んでおり、システム制御部１１９１からの指示信号に基づいて、このキャプチャ制御部１１３５において書き込みが保持された時刻から例えば５秒間書き込みを実行した後に、書き込みを中断して、映像／音声データを保持する。この保持されたデータは、内部バス２２を通してシステム内に読み出すことが可能である。
【００３９】
また、メモリ部１１５１は、上述したデータ分離部１１０２により分離された番組情報データ、番組制御文書、印刷用データ、その他データ放送データなどを保存するメモリ部である。このメモリは、システム制御部１１９１がプログラム実行のために使用するワークメモリも含まれる。なお、この発明による記憶部は、メモリ部１１５１からなる。
【００４０】
データ保存部１１８２は、番組情報データ、番組制御文書、その他データ放送データ、印刷用データ、キャプチャバッファメモリ１１３６にキャプチャされたデータ、課金制御データ、視聴者の視聴履歴データなどのデータを、視聴者により指示がされたり、システムにより必要と判断されたりした場合に、保存を行うために書き込み可能な、不揮発性のメモリやハードディスクなどの補助記憶装置である。
【００４１】
インタフェース部１１６１は、上述したプリンタ装置１３を接続して、ＴＶ装置１１により制御される。これにより、ＴＶ装置１１から送信された印刷データを印刷可能に構成されている。
【００４２】
インターネット接続部１１７１は、ＴＶ装置１１が、放送局管理サーバに接続し、メタデータなどの番組情報データ、有料放送の課金情報データなどの各種データの送受信などを行う際に使用される。また、受信されたデータは、上述したメモリ部１１５１に保存されるとともに、必要に応じて、上述したデータ保存部１１８２に保存される。
【００４３】
また、リモコン制御部１１８１は、赤外線を利用したリモコン送受信制御部であり、ＴＶの視聴者により操作されて、視聴者の所望する制御信号を送信可能に構成されている。このリモコン制御部１１８１とリモコン装置１２との間において、データの送受信が実行されると、このデータがシステム制御部１１９１に転送される。
【００４４】
システム制御部１１９１は、ＴＶ装置１１内部の各部を統括的に制御可能に構成されている。このシステム制御部１１９１は、ＣＰＵ、主記憶、バス制御部、プログラム格納部、パラメータ保存部、ＩＤ保存部、時計部、タイマ部などから構成される。
【００４５】
また、ＴＶ受信においては、このシステム制御部１１９１によって、上述したチューナ部１１０１およびデータ分離部１１０２の制御が行われる。これによって、チャンネルの切り替えが行われて所望の放送電波が受信され、後述するＴＳデータが復調される。そして、このＴＳデータから、番組データ、番組情報データ、データ放送データ（制御文書、印刷データなど）が分離される。
【００４６】
番組データがＡＶデコード部１１０３に出力されるとともに、番組情報データ、データ放送データが、内部バス２２を通じてメモリ部１１５１に格納される。
【００４７】
また、システム制御部１１９１により、格納された番組情報データやデータ放送データが解析される。これにより、課金制御などを含むアクセス制御や、番組情報が抽出されて、ＥＰＧ（電子番組ガイド（Electronic Program Guide）に関するデータ）の構築などが実行される。また、システム制御部１１９１により、データ放送データから制御文書が検出されて、データ放送の制御や表示制御が実行される。
【００４８】
その結果、静止画キャプチャ印刷対応であることが検出されると、番組制御文書に応じて、キャプチャ時刻、内容をメッセージとして表示するなどの制御が実行される。また、必要に応じて、インターネット接続部１１７１が制御され、番組情報などの追加受信が実行される。
【００４９】
また、システム制御部１１９１により、グラフィック制御部１１３１が制御され、上述したデータ放送、メッセージ、ＧＵＩの表示、ＴＶ装置１１内のアプリケーションの表示、メッセージ、および操作パネルなどが表示される。
【００５０】
また、システム制御部１１９１により表示合成制御部１１３３が制御されて、ＡＶデコード部１１０３から出力された映像データと、グラフィック制御部１１３１からの画像データとの合成や補正などの各種情報表示などが実行され、表示部１１３４に表示される。同様に、システム制御部１１９１により音声制御部１１２１が制御されて、音声の合成や出力制御が実行され、音声出力部１１２２に対して出力制御が実行される。
【００５１】
また、システム制御部１１９１により、上述した表示合成制御部１１３３から出力された表示データがキャプチャ制御部１１３５に格納されるとともに、キャプチャバッファメモリ１１３６の制御が行われ、番組／映像データの一時保存の制御を行う。
【００５２】
リモコン装置１２などによって視聴者からされるキャプチャ印刷指示に基づいて、キャプチャ制御部が制御されて印刷データが生成され、プリンタ装置１３に印刷データの転送が行われ、印刷制御が行われる。また、リモコン装置１２との間においてデータの送受信が実行され、このデータに基づいて、ＴＶ装置１１内の制御が実行される。
【００５３】
内部バス２２は、データバスおよび制御バスであり、上述したように、画像、音声データの転送および各部情報の転送に使用されるＴＶ装置１１内のバスである。
【００５４】
図５に、この第１の実施形態において使用されるリモコン装置１２の詳細を示す。図５に示すように、この第１の実施形態によるリモコン装置は、電源キー、音声キー、チャンネルキーなどの通常のＴＶ視聴時に使用するキーを備える。また、リモコン装置は、データ放送への移行に使用するデータ放送キー１２０１（以後、”ｄキー”）、データ放送などのボタン、操作パネルなどの操作を行うためのカーソル決定キー１２０２なども備える。更に、リモコン装置１２は、表示画面を静止画キャプチャするためのキャプチャボタン１２０３を備える。
【００５５】
上述した図３は、放送局から送信される放送データ、いわゆるＴＳデータの内容を示す。図３に示すように、放送局から送信される放送データは、それぞれの国の放送体系、規格に基づいて作成される。この第１の実施形態においては、日本国内のデジタル放送の標準規格（ＡＲＩＢ（電波産業界）標準規格）に基づいたものを例とする。
【００５６】
すなわち、図３に示すように、この第１の実施形態における放送データは、ヘッダ部、番組データ部、データ放送データ部の３つが、パケット化され伝送される構成となっている。
【００５７】
ヘッダ部は、いわゆるＳＩと称される番組情報と、他のＴＳデータに関わる制御情報とから構成されている。また、番組データは、いわゆる映像／音声ストリームとして伝送される番組部分を示し、視聴者が視聴する番組を示す。また、ＴＳデータでは、複数の番組データを同時に伝送することが可能である。また、データ放送データは、番組と関連したメタデータなどの番組の詳細情報、番組やデータ放送の表示、データ表示、キャプチャ印刷などの制御のための制御文書などから構成される。また、他の番組のためのデータ、番
組とは独立したデータが伝送されることもある。
【００５８】
この制御文書は、コンテンツ記述言語ｂｍｌにより記述されたｂｍｌ文書として記述される。また、制御文書は、受信直後に解析されて、制御が開始されると同時に、イベント割り込みで起動、制御することが可能であり、放送局よりの指示イベント、時刻による割り込みイベント、特定のリモコンキーによるイベントなどが含まれている。
【００５９】
また、表示されるデータとしては、動画データ、静止画データ、音声データ、文字データなどが含まれており、キャプチャ印刷の可・不可、開始時刻、残り時間の提示などのためのデータもこれに含まれる。
【００６０】
これらの放送データは、番組データが番組の放送時間に沿って１回のみ伝送されるのに対し、データ放送データは、同一データを何度か繰り返して伝送する、いわゆるデータカルーセル方式により伝送され、これらがパケット化されて、さらにヘッダ部が付加されて放送用ＴＳデータとなる。
【００６１】
図６に、上述した番組データの詳細を示す。番組データは、上述した図３における番組データ部を結合、再構成することによって得ることができる。図６に示すように、映像データは、ＩＥＣ１３１８などにより標準規格化されている、いわゆるＭＰＥＧストリームとして圧縮されたものである。
【００６２】
また、図６に、ＭＰＥＧストリームのシーケンス層を示す。シーケンス層は、ＳＨ（シーケンスヘッダ）とＧＯＰ(Group Of Picture)とから構成される。このＧＯＰは、ピクチャ層と呼ばれる関連あるフレーム画像データの集合であり、Ｉピクチャ、Ｂピクチャ、Ｐピクチャの３つの種類がある。
【００６３】
このピクチャ層は、図６に示すような構成を有し、この中の拡張領域ＥＩＰに付加情報として印刷許可フラグが設定される。そして、ＡＶデコード部１１０３（図４参照）により、ＭＰＥＧストリームがデコードされて、フレーム画像が生成されるときに、この印刷許可フラグが検出されて、フレーム画像データとともに出力される。
【００６４】
この第１の実施形態による制御文書は、データ放送制御、キャプチャ印刷対応検知とその後制御、メッセージ表示、キャプチャ許可時間中の表示を行うような制御文書であり、その中に、キャプチャ印刷情報が記述されている。
【００６５】
図７Ａに、キャプチャ印刷情報の項目を示す。また、図７Ｂに、この第１の実施形態による内容を示す。まず、キャプチャ印刷対応に対する、対応・非対応の情報がキャプチャ印刷情報に記述される。次に、キャプチャ印刷許可・不許可の制御方法がキャプチャ印刷情報に記述されている。この制御方法は、制御文書による制御、外部メタデータ参照による制御、または上述したＭＰＥＧストリーム内のＥＩＰに記述されるキャプチャ印刷許可フラグによる制御、のいずれかから選択される。この第１の実施形態においては、キャプチャ印刷情報に、ＭＰＥＧストリーム内のＥＩＰに記述されるキャプチャ印刷許可フラグによる制御が記述されている。
【００６６】
さらに、キャプチャ印刷制御情報には、キャプチャ印刷が許可される開始時間（番組開始からの相対時間）と、許可される継続時間とが記述されている。この記述が番組内において複数回存在する場合においては、複数の数だけ記述される。なお、この第１の実施形態のキャプチャ印刷制御情報には、番組開始２０分後から１５分間の間のキャプチャ印刷が許可される旨の記述がなされている。すなわち、この時間の動画を構成する静止画像の印刷が許可されている。
【００６７】
また、キャプチャ印刷制御情報には、この制御文書内の制御スクリプトにより適宜表示されるメッセージ、その他の情報も含まれている。なお、この発明における印刷が許可された画像とは、動画信号中に、動画を構成する画像の一部の印刷を許可または不許可にする信号が含まれている場合において、印刷が許可された部分の画像である。また、印刷が許可された画像とは、印刷が禁止されていない画像ということもできる。そして、第１の実施形態においては、番組の一部の画像の印刷が許可されている場合、番組の動画を構成する画像の印刷が許可されている部分に印刷許可のフラグが立てられる。
【００６８】
また、キャプチャされた画面データは、視聴者の指示により、ＴＶ装置１１におけるデータ保存部１１８２に保存される。図８に、この場合のファイル構造を示す。図８に示すように、キャプチャされたデータに付属情報として、放送受信時に受信したＳＩデータに記述されている番組名のほか、キャプチャ時間（番組開始からの経過時間）、その時間における印刷許可・不許可の情報を付加したものとなっている。
【００６９】
図９に、ＴＶ装置１１のシステム制御部１１９１の制御部別の構造を示す。図９において、基本システム制御部１１９１ｏｓはＯＳを含む制御部であり、他の制御部はこの基本システム制御部１１９１ｏｓの管理下において、データ放送制御部１１９１ａ、キャプチャ制御部１１９１ｂ、印刷制御部１１９１ｃおよびその他の制御部１１９１ｄを動作可能に構成されている。
【００７０】
データ放送制御部１１９１ａは、上述したｂｍｌ文書で記述された制御文書に従い動作する、いわゆるｂｍｌブラウザであり、制御文書に応じてデータ放送の制御を実行する。そして、後述する図１０に示すキャプチャ印刷対応提示や、メッセージ表示画面の表示なども、このｂｍｌブラウザに該当する。
【００７１】
キャプチャ制御部１１９１ｂは、視聴者によりリモコンのキャプチャボタンが押下されると、この押下信号の通知を受け、キャプチャ制御部１１３５、または、キャプチャバッファメモリ１１３６の書き込み中断制御を実行する。さらにキャプチャ制御部１１９１ｂにより、メモリ部１１５１のキャプチャメモリ領域にデータの保存も行われる。別に視聴者により操作されることにより、このメモリ部１１５１に保存されたキャプチャデータから各種の画像補正が行われる。
【００７２】
また、印刷が許可されたキャプチャデータは、視聴者に対して印刷ＧＵＩが提示され、この操作に従って印刷ファイルの生成が行われ、印刷制御部１１９１ｃに印刷指示の信号が供給される。
【００７３】
印刷制御部１１９１ｃは、上述したキャプチャ制御部１１９１ｂからの印刷指示の信号が供給されると、メモリ部１１５１のキャプチャデータから印刷データが生成されて、メモリ部１１５１内の印刷バッファに仮保存するように制御する。また、印刷制御部１１９１ｃは、インタフェース部１１６１を通じて、プリンタ装置１３を制御する。そして、印刷データは、プリンタ装置１３に伝送され、印刷制御される。
【００７４】
他の制御部１１９１ｄは、上述した以外のＴＶ装置１１の制御全般の制御が含まれている。また、リモコン装置１２におけるリモコンキーの検知と、それぞれの制御部に対する通知も、他の制御部１１９１ｄにおいて実行される。
【００７５】
図１０Ａは、キャプチャ印刷が可能な番組が開始された時に、この番組の開始を視聴者に通知するためのメッセージが表示された画面を示す。図１０Ｂは、視聴者の要求に対して、より詳細な説明を提示された画面を示す。なお、このメッセージは、番組の視聴を途
中から開始した際にも表示される。
【００７６】
また、図１１Ａは、このキャプチャ印刷対応番組内で、もうすぐ印刷許可時間になることを視聴者に通知している画面を示す。図１１Ｂは、このキャプチャ印刷対応番組内で、印刷許可時間になった際、キャプチャ可能な残り時間を画面の右下に提示している画面を示す。
【００７７】
図１２Ａは、視聴者がキャプチャ印刷許可時間内にキャプチャ操作を行った直後の画面である。キャプチャの完了と印刷の操作ＧＵＩが表示される。また、このＴＶ装置１１における映像の静止画キャプチャ機能は、印刷許可の有無にかかわらず存在し、図１２Ｂは、キャプチャ印刷許可でない時間にキャプチャ操作を行った画面である。なお、この第１の実施形態によるＴＶ装置１１においては、放送により受信した映像と、デジタルビデオカメラなどにより撮影されて、表示している映像を判別し、後者の映像はすべてキャプチャ印刷が可能なように制御される。
【００７８】
次に、この第１の実施形態による表示と動作について、図１３および図１４を用いて説明する。
【００７９】
すなわち、この第１の実施形態においては、キャプチャ印刷に対応する番組は、番組開始から２０分経過した時刻から１５分間だけキャプチャ印刷が許可された番組である。このとき、視聴者に対しては、図１０および図１１に示されたそれぞれのメッセージやＧＵＩ画面が提供される。
【００８０】
また、印刷制御情報として図７Ｂに示されるメッセージが表示された状態において、「キャプチャ印刷対応番組提示である図１０Ａに示されるメッセージが表示された状態において、ｄキーが押下された場合、図１０Ｂに示す詳細メッセージ画面の表示制御」、「キャプチャ印刷許可時間、許可継続時間を検知し、許可時間の１分前に図１１Ａに示す画面を表示し、許可時間になるとアイコンと残り時間の表示」を行うようなスクリプトが作成され、これらをまとめて番組制御文書とする。
【００８１】
まず、上述した放送装置２１（図２参照）においては、編集者による操作によって、記録再生部２１０１に記録された番組が読み出されたり、キャプチャ印刷許可時間の決定がされたりすると、編集部２１２２によって、記録再生部２１０１の番組のＭＰＥＧストリームのキャプチャ印刷が許可されるフレームのＥＩＰに印刷許可情報が記録される。
【００８２】
これとともに、キャプチャ印刷制御情報が作成され、印刷情報保存部２１０２に保存される。他方、制御スクリプト、各種メッセージとともに番組制御文書が作成され、付加情報保存部２１０３に保存される。
【００８３】
また、番組開始時刻になると、放送装置２１の出力制御部２１２１により、記録再生部２１０１、印刷情報保存部２１０２、付加情報保存部２１０３、および合成部２１１０が制御されて放送データが生成され、送出が開始される。
【００８４】
次に、視聴者側においては、ＴＶ装置１１の電源がＯＮされた後、図３に示す放送データがチューナ部１１０１により受信されて、復調される。その後、データ分離部１１０２において、上述した番組データとデータ放送データとに分離される。
【００８５】
また、番組データは、ＡＶデコード部１１０３においてデコードされる。映像は、表示合成制御部１１３３を通じて、表示部１１３４に表示される。また、音声は、音声制御部１１２１を通じて音声出力部１１２２より出力される。
【００８６】
一方、上述したように、データ放送データおよびその他のデータは、データ分離部１１０２において分離され、メモリ部１１５１に格納される。ここで、上述したキャプチャ印刷対応の番組が開始されるとする。図１３は、このキャプチャ対応の番組の開始から番組制御文書による制御の手順を示す。
【００８７】
図１３に示すように、ステップＳＴ２１０１においては、データ放送制御部１１９１ａにより、上述した番組の番組制御データが検知され、この番組制御データが解析される。その後、上述した制御スクリプトと、図７Ｂに示す内容のキャプチャ印刷情報が検出される。そして、ステップＳＴ２１０２において、キャプチャ制御部１１９１ｂに、ＴＶ装置１１がキャプチャ印刷に対応できるかどうかを問い合わせが実行される。
【００８８】
この第１の実施形態においては、キャプチャ印刷対応であるものとして、制御スクリプトに従い、図１０Ａに示す画面が表示され、視聴者に対してキャプチャ印刷可能であることが通知される。なお、この表示は、例えば数秒間継続された後に消去される。その後、ステップＳＴ２１０４に移行して、画面左下にｄマークアイコンが表示される。これにより、視聴者に対して、何らかのデータ放送が存在することが通知される。
【００８９】
続いて、視聴者が詳細を見るために、上述したリモコン装置１２のｄキー１２０１が押下されると、その他の制御部１１９１ｄにより、このｄキー１２０１の押下が検出され、データ放送制御部１１９１ａに通知の信号を供給する。
【００９０】
続いて、ステップＳＴ２１０５において、ｄキーの押下を検知したデータ放送制御部１１９１ａにより、図１０Ｂに示すメッセージが表示される。このメッセージは、上述したｄキー１２０１の押下で消去され、通常の視聴画面に戻る。
【００９１】
なお、これらのステップＳＴ２１０４およびステップＳＴ２１０５における動作については、データ放送の提示をする通常の処理であることから、このような場合以外においても同様の処理が実行される。また、上述した場合以外にｄキー１２０１が押下された場合、そのタイミングに応じたメッセージ、データ放送画面が表示される。なお、ＴＶ装置１１がキャプチャ印刷対応でない場合、ステップＳＴ２１０２に移行して、その後に処理を行うことなく終了する。
【００９２】
また、ステップＳＴ２１０７に移行した場合、データ放送制御部１１９１ａにより、キャプチャ印刷情報内にキャプチャ印刷許可時間が検知されると、番組の表示経過時間とこの許可時間との比較が開始される。ここで、表示経過時間とは、表示されている番組の開始を起点とした、番組の再生状態の経過時間である。なお、この表示経過時間を時刻に基づいて、計算するようにしても良い。
【００９３】
そして、ステップＳＴ２１０８に移行して、表示経過時間を示す表示経過時間情報に応じて、例えば１分前になると、図１１Ａに示すような印刷が許可された画像が表示される旨のメッセージが表示される。このメッセージは数秒間で自動的に消去される。
【００９４】
そして、ステップＳＴ２１１１に移行して、所定時間経過後、キャプチャ印刷許可時間になると、ステップＳＴ２１１２に移行して、図１１Ｂに示すように、印刷が許可されていることを示すアイコンが表示される。このアイコン内の数字は、印刷許可残り時間を示す。
【００９５】
その後、ステップＳＴ２１１３に移行して、許可時間が終了すると、ステップＳＴ２１１４に移行して、上述したアイコンが消去されて、視聴者にキャプチャ印刷許可時間の終
了が通知される。続いて、ステップＳＴ２１１５に移行して、次の印刷許可時間があるかどうかが検出される。
【００９６】
この印刷許可時間がある場合には、ステップＳＴ２１０７に復帰して、許可時間の検知が実行される。その後、キャプチャ印刷許可が終了した場合は、ステップＳＴ２１１６に移行して、ｄマークが消去されて終了する。なお、番組のＭＰＥＧストリームには、上述したキャプチャ印刷許可時間に対応するフレームのＥＩＰの印刷許可フラグに許可が記述されている。
【００９７】
一方、図１４は、視聴者により、キャプチャ印刷許可時間内にリモコン装置１２のキャプチャキーが押下された場合の動作のフローを示す。
【００９８】
まず、ステップＳＴ２２０１において、キャプチャ制御部１１９１ｂに、他の制御部１１９１ｄからキャプチャキー押下通知が供給される。その後、ステップＳＴ２２０２に移行して、このキャプチャキー押下通知に伴って、キャプチャ制御部１１３５に対する書き込みが中断されるとともに、５秒間維持して後にキャプチャバッファメモリ１１３６の書き込みが中断される。
【００９９】
その後、ステップＳＴ２２０３に移行して、これらのデータが、番組名、キャプチャ時間、印刷許可フラグとともに、メモリ部１１５１のキャプチャデータ一時保存領域に保存される。これにより、キャプチャ時間を中心に前後５秒間に含まれるデータがメモリ部１１５１に保存される。
【０１００】
その後、ステップＳＴ２２１１に移行して、キャプチャしたフレームのＥＩＰのキャプチャ印刷許可フラグが検知される。このキャプチャ印刷許可フラグが印刷許可であることが、キャプチャ制御部１１９１ｂにより確認されると、ステップＳＴ２２１２に移行して、図１２Ａに示すＧＵＩ画面が表示される。これにより、キャプチャの完了および印刷が可能であることが視聴者に通知される。これとともに、このＧＵＩ表示において、視聴者にすぐに印刷開始するか（「はい」ボタン）、キャプチャデータを保存するか（「保存」ボタン）の選択が視聴者に対して促される。そして、ステップＳＴ２２１３に移行して、視聴者がいずれの選択をするかが検知される。
【０１０１】
ステップＳＴ２２１３において、視聴者がすぐに印刷開始を行う「はい」ボタンを押下した場合、ステップＳＴ２２１４に移行し、視聴者に対して、図１５Ｃに示すような編集、補正、印刷ＧＵＩ画面が表示される。そして、ステップＳＴ２２１５に移行して、視聴者による入力画面が表示される。
【０１０２】
ここで、視聴者により編集ボタンが押下されると、左右のカーソルキーでキャプチャし表示されているフレームに対し、メモリ部１１５１内に保存されている前後５秒間のフレームに対して、表示および選択の操作および処理（編集・補正処理）を行うことができる。また、補正ボタンが押下されると、表示フレーム前後の複数フレームとともに、ぶれ補正などの静止画高画質化処理が行われる。
【０１０３】
以上のようにして、印刷する画像が決定され、ステップＳＴ２２１５において、印刷開始ボタンが押下されると、ステップＳＴ２２１６に移行して、表示フレームデータから印刷データが生成される。
【０１０４】
その後、ステップＳＴ２２１７に移行して、印刷制御部１１９１ｃに印刷指示の信号が供給され、キャプチャアプリの処理が終了する。続いて、印刷指示が供給された印刷制御部１１９１ｃにより、インタフェース部１１６１からプリンタ装置１３が制御され、印刷
データがプリンタ装置１３に伝送されて、印刷が実行される。なお、必要に応じてＧＵＩパネルの表示が行われ、視聴者の指示に対応可能な状態となる。
【０１０５】
他方、上述したステップＳＴ２２１３において保存のボタンが押下されると、ステップＳＴ２２４１に移行して、図８に示すように、キャプチャデータに番組名、キャプチャ時間および印刷許可情報が付加されて、データ保存部１１８２に保存される。そして、キャプチャアプリは終了する。
【０１０６】
ステップＳＴ２２４１で、キャプチャデータを保存した後、保存されたキャプチャデータを、再度、読み出し、表示および印刷させる際の画面を図１５に示す。
【０１０７】
図１５Ａは、視聴者が、まずメニューキーを押下して、メニュー画面を表示させた状態を示す。次に、視聴者によりキャプチャ画面リストが選択されて決定されると、図１５Ｂに示すように、キャプチャ画像一覧が表示される。リストには、キャプチャした番組および時刻が表示されており、リモコンのカーソルキーにより選択された画像がリストの右に表示される。ここで、視聴者によりいずれかが選択され決定されると、選択された画像が大きくなり、図１５Ｃに示すように、上述した編集・補正・印刷ＧＵＩ画面が表示される。そして、表示された処理のうちのいずれかが、視聴者により選択され決定されることにより、上述した編集、補正または印刷処理と同様の処理を行うことができる。
【０１０８】
なお、ステップＳＴ２２１１において、キャプチャした後、ＥＩＰにキャプチャ印刷許可フラグが存在しないか、存在したとしても印刷禁止であることが検知された場合には、ステップＳＴ２２５１に移行して、図１２Ｂに示すように、印刷不可のメッセージを含む、キャプチャ完了メッセージが表示され、終了する。
【０１０９】
以上のようにして、放送された画像のうち、キャプチャ印刷が許可された画像に関して、キャプチャ印刷を許可したり、制御したりすることができる。これにより、番組制御文書は視聴者に対し、キャプチャ印刷の許可の存在とその時間を提示するのみで、実際の印刷の管理を行う必要がなく、制御が簡単になるとともに、フレーム単位での許可、不許可制御が可能となる。また、キャプチャ印刷が許可された画像が表示されることを放送中に提示することができる。これにより、放送番組を視聴しながらキャプチャ印刷が可能となり、利便性が向上する。
【０１１０】
以上説明した、この第１の実施形態においては、キャプチャ画像に付加するデータを、ＳＩデータから取得していた。ＳＩ情報は、番組データの付属情報として伝送されるため、容量も限られており、シーンごとなどの詳細な情報が伝送されることなく、キャプチャ画像に対して番組名程度の情報を付加するだけである。そこで、より多くのデータが付加された場合について、第２の実施形態において説明する。
【０１１１】
（第２の実施形態）
次に、この発明の第２の実施形態による放送システムについて説明する。なお、この第２の実施形態においては、セグメント・メタデータを使用した場合の例について説明する。また、装置の構成については、図１から図５までの第１の実施形態と同様であるので、説明を省略する。また、メタデータとは、データに対応する属性情報の総称である。
【０１１２】
映像・音声番組としてのメタデータについては、ＴＶ Anytime Forumと称される国際標準化団体（以下、ＴＶＡＦ）や、ＡＲＩＢなどにおいて検討が行われている。また、メタデータの記述スキームには、ＭＰＥＧ７があり、上述したＴＶＡＦも、これをベースとして検討している。
【０１１３】
すなわち、番組に関連したメタデータには、３つがある。ひとつは、コンテンツ・メタデータである。このメタデータは、番組全体に対応し、番組のタイトル、ジャンル、要約、出演者などが記述されている。放送データで伝送されるＳＩ情報より得られるものと同じものが含まれている。２つ目は、インスタンス・メタデータである。
【０１１４】
このメタデータは、番組の入手先情報、再生の有効期限、課金情報、その他利用規約、といった内容が記述されている。また、３つ目が、セグメント・メタデータである。このセグメント・メタデータは、番組中の映像・音声中の特定のシーン（セグメント）へのアクセスや操作を可能にするための情報が記述されたシーン単位の記述文書であり、番組と同時または時をずらして（別時で）受信側に伝送される。
【０１１５】
これらを適宜制御することにより、ダイジェスト再生、ジャンル別一括再生、マルチシナリオ再生といった、番組の枠を越えた様々な視聴形態に応じた映像・音声の再構成を行うことが可能となる。また、シーン検索などもメタデータにより可能になる。なお、これ以外に、コンスーマ・メタデータがある。このメタデータは、他のメタデータと異なり、番組に付帯するものではなく、受信側で生成されるもので、視聴者の視聴履歴、嗜好情報といった内容で構成され、ＴＶ装置が視聴者に対し番組推薦などを行うような場合に使用される。
【０１１６】
図１６に、第２の実施形態により使用されるセグメント・メタデータの構成を示す。このセグメント・メタデータの構成は、ＴＶＡＦ、ＭＰＥＧ７規格に準拠する。
【０１１７】
図１６に示すように、セグメント・メタデータは、シーンを形成している元となる参照番組の情報（ＣＲＩＤ）、このセグメント・メタデータのセグメントＩＤ、このシーンのシーンタイトル、シーン概要、シーンの開始時間、シーンの継続時間、その他にフリーキーワードがある。この第２の実施形態においては、セグメント・メタデータのひとつとして、キャプチャ印刷許可フラグが記述される。また、その他のフリーキーワードとして、撮影場所、出演者、プロフィール、曲名なども記述される。
【０１１８】
また、この第２の実施形態においては、受信される番組について、図１７に示すように、セグメントＩＤがＳ００１からＳ００６の６つのシーンのデータがセグメント・メタデータに記述されている。これらのセグメント・メタデータは、まず、番組編集者によって作成され、上述した放送装置２１のインターネットサーバ部２１１２に保存される。
【０１１９】
また、番組受信時に、上述したセグメント・メタデータをインターネットサーバ部２１１２からダウンロードするような制御スクリプトと、図７に示すキャプチャ印刷制御情報の制御方法の項を「ストリーム許可フラグ＆セグメント・メタデータ」に設定した構成とするキャプチャ印刷制御情報とを含む番組制御文書とを付加情報保存部２１０３に保存する。
【０１２０】
次に、第２の実施形態の動作に関して、図１３および図１９を用いて説明する。すなわち、図１３に示すように、まず、第１の実施形態におけると同様にして、番組開始時刻になると、放送装置２１の出力制御部２１２１により、番組データと印刷許可情報とを含む番組制御データが合成され、送出が開始される。そして、ステップＳＴ２１０１において、この番組制御データを受信したＴＶ装置１１のデータ放送制御部１１９１ａにより、第１の実施形態におけると同様にして、上述した番組の番組制御データが検知される。
【０１２１】
その後、この番組の解析が実行されて、上述したセグメント・メタデータのダウンロードコマンドを含む制御スクリプトと、制御方法の項が『ストリーム許可フラグ＆セグメント・メタデータ』に設定されたキャプチャ印刷制御情報とが検知される。
【０１２２】
そして、ステップＳＴ２１０２において、ＴＶ装置１１がキャプチャ印刷に対応されているか否かを、キャプチャ制御部１１９１ｂに問い合わせる。
【０１２３】
同時に、制御スクリプトから、セグメント・メタデータのダウンロードコマンドが検知されて、インターネット接続部１１７１が制御される。そして、インターネットサーバ部２１１２に接続されて、図１７に示すセグメント・メタデータがダウンロードされ、メモリ部１１５１に保存される。
【０１２４】
その後、図１３に示すステップＳＴ２１０４からステップＳＴ２１１６まで、視聴者に対する提示としては、第１の実施形態におけると同様の動作が実行される。
【０１２５】
一方、図１９は、キャプチャ印刷許可時間内に、視聴者によりリモコンのキャプチャボタンが押下された場合の動作のフローを示す。
【０１２６】
ステップＳＴ２２０１において、キャプチャ制御部１１９１ｂにより、他の制御部１１９１ｄから、キャプチャキー押下通知が供給される。そして、第１の実施形態におけると同様に、ステップＳＴ２２０２において、キャプチャ制御部１１３５に対する書込が中断されるとともに、所定時間、例えば５秒間維持されて、キャプチャバッファメモリ１１３６の書き込みが中断される。
【０１２７】
その後、図１９におけるステップＳＴ２２０３において、これらのデータは、キャプチャ時間、メモリ部１１５１のキャプチャデータ一時保存領域に保存される。図１８に、この第２の実施形態におけるＴＶ装置１１でキャプチャデータ保存時のキャプチャファイルの内容を示す。キャプチャ画像時の対応セグメント・メタデータよりシーン名、シーン概要、撮影場所、また、出演者情報（名、プロフィールなど）、曲情報（曲名、作詞、作曲者など）が抽出されて、これらの情報がその他の情報としてキャプチャファイルの一部となって保存される。
【０１２８】
その後、ステップＳＴ５４０１において、データ放送制御部１１９１ａに対するキャプチャ時間が引数とされて、キャプチャ情報を問い合わせるコマンドが発行される。
【０１２９】
この問い合わせコマンドの発行に対し、ステップＳＴ５４０２において、データ放送制御部１１９１ａがキャプチャ時間から番組名の他、対応する時間のセグメント・メタデータをメモリ部１１５１から読み出して検索し、印刷許可情報とセグメント・メタデータの印刷許可フラグ、シーン名、撮影場所、出演者、プロフィール、曲名とが、キャプチャ制御部１１９１ｂに返される。
【０１３０】
次に、ステップＳＴ２２１１において、キャプチャ制御部１１９１ｂは、返されたキャプチャ情報の印刷許可フラグが印刷許可であれば、ステップＳＴ２２１２で、上述した図１２Ａに示すようなＧＵＩ画面を表示することで、キャプチャの完了および印刷可能であるか否かが視聴者に通知される。この通知と同時に、ステップＳＴ２２１３で、このＧＵＩ画面の表示において、視聴者にすぐに印刷開始するか（「はい」ボタン）、キャプチャデータを保存するか（「保存」ボタン）の選択が促される。
【０１３１】
印刷を開始する選択をした後の動作は、第１の実施形態において説明した図１４に示すステップＳＴ２２１２以降と同様である。
【０１３２】
すなわち、ステップＳＴ２２１３において、保存のボタンが押下されると、ステップＳＴ２２４１に移行して、図１８に示すように、キャプチャデータに、番組名、キャプチャ
時間、印刷許可情報の他、データ放送制御部１１９１ａから供給されたセグメントメタ情報が付加され、データ保存部１１８２に保存される。
【０１３３】
次に、ステップＳＴ２２４１において保存されたファイルは、再表示可能とされ、この中で印刷許可されたものに対しては印刷を行うことが可能となる。その保存したキャプチャデータが再度読み出されて、表示、印刷させる際の保存キャプチャ画面リストの表示画面を図２０に示す。図２０は、第１の実施形態において説明した図１５Ｂに対応する。
【０１３４】
また、キャプチャして保存した際に、図１８に示す内容が保存されていることにより、キャプチャ画面リストには、番組名およびキャプチャ時刻ではなく、シーン名や、画像の欄外に出演者、曲名などを表示することも可能である。
【０１３５】
以上のような表示を行うことによって、視聴者は、キャプチャした画像を把握し易くなるので、容易に印刷したい画像を印刷することができるようになる。
【０１３６】
こうして、このリストより印刷したい画像を選択することができるとともに、第１の実施形態と同様にして、編集、補正などが実行され、印刷が実行される。
【０１３７】
以上、この発明の実施形態について具体的に説明したが、この発明は、上述の実施形態に限定されるものではなく、この発明の技術的思想に基づく各種の変形が可能である。
【０１３８】
例えば、上述の実施形態において挙げたデータ内容や表示画面はあくまでも例に過ぎず、必要に応じてこれと異なるデータ内容や表示画面を用いてもよい。
【０１３９】
また、上述した第１および第２の実施形態において、第２の実施形態で説明したセグメント・メタデータによるキャプチャ印刷の制御を実行するようにして、番組制御文書によるキャプチャ印刷の制御を行うことも可能である。この場合、キャプチャされた画像が、キャプチャ印刷制御情報内の印刷許可時間、許可継続時間内であるか否かにより許可・不許可の制御が行われる。
【０１４０】
第２の実施形態の動作の他にも、放送された番組をＴＶ装置１１により録画し、放送後に任意のタイミングで放送装置２１におけるセグメント・メタデータを更新し、録画した番組をＴＶ装置が再生する時に、放送局の放送装置２１からセグメント・メタデータをダウンロードすることも可能である。このように動作させることによって、番組を録画後、再生する際に、最新の印刷許可情報を反映させることが可能となる。例えば、放送直後はキャプチャ印刷許可としておいたが、都合で印刷を禁止にする場合や、視聴者の要望が大きいことにより、あるシーンに限定してキャプチャ印刷許可の有効期限を延ばす場合である。また、地方により放送される日時が異なる場合、この有効期限を放送される地方に合わせて更新することができる。
【０１４１】
上述したキャプチャは、動画映像からキャプチャを行うことについて説明したが、例えば、図２１のようなデータ放送表示を含む画面を視聴時にキャプチャした場合、画像をキャプチャするとともに、表示画面を制御している番組制御データも一緒に保存して、印刷の際、映像のキャプチャ画面かデータ放送画面かを選択し表示し、印刷を行うことも可能である。
【０１４２】
また、上述した実施形態においては、画面にメッセージを重畳表示することによって、ユーザに印刷が許可された画像が表示されることをユーザに提示するようにしているが、ユーザに対する情報の提示方法としては、必ずしも画面に表示する方法に限定されるものではなく、そのほかの方法を採用することも可能である。例えば、テレビ装置に備えられ
ているスピーカから音または音声を出力したり、装置に備えられたランプ（例えばインジケータランプ）を点滅させたりすることにより、ユーザに対して、番組の動画の一部分の印刷が許可されている、または、番組の動画の一部分の印刷が不許可であるという提示を行うことも可能である。
【０１４３】
また、例えば、上述の実施形態において挙げた数値は、あくまでも例に過ぎず、必要に応じてこれと異なる数値を用いてもよい。また、この発明は、動画の一部のみの印刷が許可された動画番組の表示において、適用することが好ましいが、必ずしも動画の一部のみの印刷が許可された動画番組の表示に限定されるものではない。
【図面の簡単な説明】
【０１４４】
【図１】この発明の第１の実施形態による全体のシステムを示す図である。
【図２】この発明の第１の実施形態による放送装置の詳細を示すブロック図である。
【図３】この発明の第１の実施形態による放送データを説明するための図である。
【図４】この発明の第１の実施形態によるＤＴＶ装置の詳細を示すブロック図である。
【図５】この発明の第１の実施形態によるリモコン装置の詳細を示す略線図である。
【図６】この発明の第１の実施形態によるＭＰＥＧデータを説明するための図である。
【図７】この発明の第１の実施形態によるキャプチャ印刷制御情報の構成を説明するための図である。
【図８】この発明の第１実施形態による保存時キャプチャファイルの説明するための図である。
【図９】この発明の第１の実施形態によるシステム制御部の内容を説明するための図である。
【図１０】この発明の第１の実施形態によるキャプチャ印刷対応表示を説明するための図である。
【図１１】この発明の第１の実施形態によるキャプチャ印刷許可表示を説明するための図である。
【図１２】この発明の第１の実施形態によるキャプチャ操作時画面を説明するための図である。
【図１３】この発明の第１の実施形態による番組制御文書の動作を説明するための図である。
【図１４】この発明の第１の実施形態によるキャプチャ時の動作を説明するための図である。
【図１５】この発明の第１の実施形態による保存後の操作を説明するための図である。
【図１６】この発明の第２の実施形態によるセグメント・メタデータを説明するための図である。
【図１７】この発明の第２の実施形態によるセグメント・メタデータを説明するための図である。
【図１８】この発明の第２の実施形態による保存時キャプチャファイルを説明するための図である。
【図１９】この発明の第２の実施形態によるキャプチャ動作の説明するための図である。
【図２０】この発明の第２の実施形態による保存後リストを説明するための図である。
【図２１】この発明の第２の実施形態によるデータ放送画面を説明するための図である。
【符号の説明】
【０１４５】
１１  ＴＶ装置
１２  リモコン装置
１３  プリンタ装置
２１  放送装置
２２  内部バス
１１０１  チューナ部
１１０２  データ分離部
１１０３  デコード部
１１２１  音声制御部
１１２２  音声出力部
１１３１  グラフィック制御部
１１３３  表示合成制御部
１１３４  表示部
１１３５  キャプチャ制御部
１１３６  キャプチャバッファメモリ
１１５１  メモリ部
１１６１  インタフェース部
１１７１  インターネット接続部
１１８１  リモコン制御部
１１８２  データ保存部
１１９１  システム制御部
１１９１ａ  データ放送制御部
１１９１ｂ  キャプチャ制御部
１１９１ｃ  印刷制御部
１１９１ｄ  他の制御部
１１９１ｏｓ  基本システム制御部
１２０１  データ放送キー（ｄキー）
１２０２  カーソル決定キー
１２０３  キャプチャボタン
１２１２  音声出力部
１２２１  画像制御部
１２２２  表示部
２１０１  記録再生部
２１０２  印刷情報保存部
２１０３  付加情報保存部
２１０４  補助番組部
２１１０  合成部
２１１１  放送送信部
２１１２  インターネットサーバ部
２１２１  出力制御部
２１２２  編集部
【図１】
2006025398.tif 000003
【図２】
2006025398.tif 000004
【図３】
2006025398.tif 000005
【図４】
2006025398.tif 000006
【図５】
2006025398.tif 000007
【図６】
2006025398.tif 000008
【図７】
2006025398.tif 000009
【図８】
2006025398.tif 000010
【図９】
2006025398.tif 000011
【図１０】
2006025398.tif 000012
【図１１】
2006025398.tif 000013
【図１２】
2006025398.tif 000014
【図１３】
2006025398.tif 000015
【図１４】
2006025398.tif 000016
【図１５】
2006025398.tif 000017
【図１６】
2006025398.tif 000018
【図１７】
2006025398.tif 000019
【図１８】
2006025398.tif 000020
【図１９】
2006025398.tif 000021
【図２０】
2006025398.tif 000022
【図２１】
2006025398.tif 000023